【手続補正書】
【提出日】平成27年9月7日(2015.9.7)
【手続補正１】
【補正対象書類名】特許請求の範囲
【補正対象項目名】全文
【補正方法】変更
【補正の内容】
【特許請求の範囲】
【請求項１】
ｐＨ測定値を取得するためのシステムであって、
前記システムは、使い捨てプローブを備え、
前記使い捨てプローブは、
少なくとも１つの電極と、
前記少なくとも１つの電極への流体路を制御するように動作可能な少なくとも１つの制御可能なオリフィスと
を備えている、システム。
【請求項２】
少なくとも１つの制御可能なオリフィスを作動させるように構築および配列されている電子機器モジュールをさらに備えている、請求項１に記載のシステム。
【請求項３】
前記電子機器モジュールは、制御可能なオリフィス作動情報を含むルックアップテーブルを備えている、請求項２に記載のシステム。
【請求項４】
少なくとも１つの制御可能なオリフィスは、膜を備えている、請求項１に記載のシステム。
【請求項５】
前記膜は、多層膜を備えている、請求項４に記載のシステム。
【請求項６】
前記膜は、開口部を前記膜内に生成するように構築および配列されている加熱要素を備えている、請求項４に記載のシステム。
【請求項７】
前記加熱要素の少なくとも一部は、前記膜と接触して位置付けられている、請求項６に記載のシステム。
【請求項８】
基準溶液をさらに備え、少なくとも１つのオリフィスは、基準溶液と電極との間に位置付けられている、請求項１に記載のシステム。
【請求項９】
少なくとも１つの電極は、酸化イリジウム電極を備えている、請求項１に記載のシステム。
【請求項１０】
少なくとも１つの電極を囲む、壁付きチャンバをさらに備えている、請求項１に記載のシステム。
【請求項１１】
少なくとも１つの電極は、ＭＥＭＳプロセスを使用して製造される、請求項１に記載のシステム。
【請求項１２】
液界をさらに備えている、請求項１に記載のシステム。
【請求項１３】
基板をさらに備え、前記少なくとも１つの電極は、前記基板上および／またはそれに近接して位置付けられている、請求項１に記載のシステム。
【請求項１４】
前記使い捨てプローブと動作可能に係合し、試料のｐＨ情報を提供するように構築および配列されている読み取り機をさらに備えている、請求項１に記載のシステム。
【請求項１５】
前記壁付きチャンバは、溶液を前記チャンバ中に引き込むように構築および配列されている真空チャンバを備えている、請求項１０に記載のシステム。
【請求項１６】
前記壁付きチャンバと流体連通する少なくとも１つの通気口をさらに備えている、請求項１０に記載のシステム。
【請求項１７】
複数の電極を備え、前記電子機器モジュールは、オペレータが各電極を個々に作動させることを可能にするように構築および配列されている、請求項２に記載のシステム。
【請求項１８】
流体閉ループチャネル内の基準溶液をさらに備えている、請求項１に記載のシステム。
【請求項１９】
使い捨てプローブであって、前記使い捨てプローブは、
少なくとも１つの電極と、
前記少なくとも１つの電極への流体路を制御するように動作可能な少なくとも１つの制御可能なオリフィスと
を備えている、使い捨てプローブ。
【請求項２０】
少なくとも１つの制御可能なオリフィスは、膜を備えている、請求項１９に記載の使い捨てプローブ。
【手続補正２】
【補正対象書類名】明細書
【補正対象項目名】００１６
【補正方法】変更
【補正の内容】
【００１６】
本明細書において説明する技術は、その属性および付随する利点とともに、添付の図面と関連して行われる以下の詳細な説明を考慮することによって、最も良く理解されよう。なお、添付の図面には、代表的な実施形態が例示として記載されている。
本願明細書は、例えば、以下の項目も提供する。
（項目１）
ｐＨ測定値を取得するためのシステムであって、
複数の指示電極と少なくとも１つの基準電極とを備えている使い捨てプローブと、
前記使い捨てプローブと動作可能に係合し、試料のｐＨ情報を提供するように構築および配列されている読み取り機と
を備えている、システム。
（項目２）
前記使い捨てプローブは、複数の制御可能なオリフィスをさらに備えている、項目１に記載のシステム。
（項目３）
第１のオリフィスが、第１の指示電極への第１の流体路を提供するように構築および配列され、第２のオリフィスが、第２の指示電極への流体路を提供するように構築および配列されている、項目２に記載のシステム。
（項目４）
前記第１の制御可能なオリフィスを作動し、続いて、前記第２の制御可能なオリフィスを作動するように構築および配列されている電子機器モジュールをさらに備えている、項目３に記載のシステム。
（項目５）
前記読み取り機は、前記電子機器モジュールの少なくとも一部を備えている、項目４に記載のシステム。
（項目６）
前記電子機器モジュールは、制御可能なオリフィス作動情報を含むルックアップテーブルを備えている、項目４に記載のシステム。
（項目７）
第１のオリフィスが、第１の指示電極への第１の流体路を提供するように構築および配列され、第２のオリフィスが、前記少なくとも１つの基準電極への流体路を提供するように構築および配列されている、項目２に記載のシステム。
（項目８）
少なくとも１つの制御可能なオリフィスは、膜を備えている、項目２に記載のシステム。
（項目９）
前記膜は、多層膜を備えている、項目８に記載のシステム。
（項目１０）
前記膜は、開口部を前記膜内に生成するように構築および配列されている加熱要素を備えている、項目８に記載のシステム。
（項目１１）
前記加熱要素は、加熱コイルを備えている、項目１０に記載のシステム。
（項目１２）
前記加熱要素は、金またはクロムのうちの１つ以上を備えている、項目１０に記載のシステム。
（項目１３）
前記加熱要素の少なくとも一部は、前記膜内に位置付けられている、項目１０に記載のシステム。
（項目１４）
前記加熱要素の少なくとも一部は、前記膜と接触して位置付けられている、項目１０に記載のシステム。
（項目１５）
少なくとも１つのオリフィスは、ＭＥＭＳプロセスにおいて製造される、項目８に記載のシステム。
（項目１６）
基準溶液をさらに備え、少なくとも１つのオリフィスは、前記基準溶液と前記基準電極との間に位置付けられている、項目８に記載のシステム。
（項目１７）
前記基準電極は、複数の試料に関するｐＨ情報を提供するように構成されている、項目１６に記載のシステム。
（項目１８）
少なくとも１つの指示電極は、酸化イリジウム電極を備えている、項目１に記載のシステム。
（項目１９）
前記複数の指示電極は、少なくとも９つの指示電極を備えている、項目１に記載のシステム。
（項目２０）
前記複数の指示電極は、少なくとも９０の指示電極を備えている、項目１に記載のシステム。
（項目２１）
さらに、前記複数の指示電極は、少なくとも３つの指示電極を備え、前記使い捨てプローブは、少なくとも第２の基準電極をさらに備えている、項目１に記載のシステム。
（項目２２）
少なくとも１つの指示電極を囲む、壁付きチャンバをさらに備えている、項目１に記載のシステム。
（項目２３）
前記壁付きチャンバは、真空チャンバを備えている、項目２２に記載のシステム。
（項目２４）
前記壁付きチャンバと流体連通する１つ以上の通気口をさらに備えている、項目２２に記載のシステム。
（項目２５）
前記壁付きチャンバは、親水性コーティングを備えている、項目２２に記載のシステム。
（項目２６）
前記壁付きチャンバは、親水性材料から成る、項目２２に記載のシステム。
（項目２７）
前記壁付きチャンバは、試料溶液を前記壁付きチャンバ中に引き込むように構築および配列されている、項目２２に記載のシステム。
（項目２８）
搭載パッドおよび基板をさらに備え、少なくとも１つの指示電極は、前記搭載パッドに固定して取り付けられ、前記搭載パッドは、前記基板に固定して取り付けられている、項目１に記載のシステム。
（項目２９）
前記搭載パッドは、チタン搭載パッドを備えている、項目２８に記載のシステム。
（項目３０）
少なくとも１つの指示電極は、ＭＥＭＳプロセスを使用して製造される、項目１に記載のシステム。
（項目３１）
前記少なくとも１つの基準電極は、銀塩化銀基準電極を備えている、項目１に記載のシステム。
（項目３２）
前記少なくとも１つの基準電極は、酸化イリジウム基準電極を備えている、項目１に記載のシステム。
（項目３３）
前記少なくとも１つの基準電極は、少なくとも２つの基準電極を備えている、項目１に記載のシステム。
（項目３４）
前記少なくとも１つの基準電極は、銀塩化銀基準電極を備えている、項目１に記載のシステム。
（項目３５）
前記読み取り機は、ユーザインターフェースを備えている、項目１に記載のシステム。
（項目３６）
前記読み取り機は、電子機器モジュールを備えている、項目１に記載のシステム。
（項目３７）
液界をさらに備えている、項目１に記載のシステム。
（項目３８）
前記液界からの乾燥を防止するように構成されているキャップをさらに備えている、項目３７に記載のシステム。
（項目３９）
基準溶液をさらに備えている、項目１に記載のシステム。
（項目４０）
前記基準溶液は、ＫＣｌ溶液を備えている、項目３９に記載のシステム。
（項目４１）
基板をさらに備え、少なくとも１つの指示電極または少なくとも１つの基準電極のうちの少なくとも１つは、前記基板上および／またはそれに近接して位置付けられている、項目１に記載のシステム。
（項目４２）
前記基板は、ガラス、シリコン、プラスチック、およびそれらの組み合わせから成る群から選択される材料を備えている、項目４１に記載のシステム。
（項目４３）
前記少なくとも１つの基準電極は、前記基板上および／またはそれに近接して位置付けられている、項目４１に記載のシステム。
（項目４４）
少なくとも３つの指示電極および少なくとも２つの基準電極が、前記基板上および／またはそれに近接して位置付けられている、項目４１に記載のシステム。
（項目４５）
前記２つの基準電極のうちの少なくとも１つは、少なくとも２つの指示電極と協働して作用するように構成されている、項目４４に記載のシステム。
（項目４６）
センサをさらに備えている、項目１に記載のシステム。
（項目４７）
前記センサは、温度センサ、湿度センサ、圧力センサ、およびこれらの組み合わせから成る群から選択される、項目４６に記載のシステム。
（項目４８）
前記読み取り機は、前記センサを備えている、項目４６に記載のシステム。
（項目４９）
前記使い捨てプローブは、前記センサを備えている、項目４６に記載のシステム。
（項目５０）
第２の使い捨てプローブをさらに備えている、項目１に記載のシステム。
（項目５１）
前述の図を参照して説明される、システム。
（項目５２）
前述の図を参照して説明される、方法。